(57)【要約】【課題】蓋部の改良を図り、作業性の向上が図れ、かつ不良品発生の少ない新規構造を備えた包装用容器を提供する。【解決手段】引き出し口を備えた外箱３と、外箱内に収容され、引き出し口からスライドして出し入れ可能な内箱５と、を有し、内箱は、合成樹脂製のインナー部材７を含み、インナー部材は、周囲を囲う壁部を有するとともに上面を開放した内包物が収容可能な空間を有したトレー部９と、外箱内に収容されたときにトレー部の開放上面を覆う中蓋部１９とを備え、中蓋部は、トレー部の開放上面を覆う大きさで、側縁には第一の突出片２３を備えて軟質状に形成されるとともに、トレー部の内箱引き出し方向の後端縁において、折り曲げ部２７を介してトレー部と一体成形されており、トレー部は、側壁部の上端面に、中蓋部がトレー部の開放上面を覆ったときに、第一の突出片２３を収容可能な第一の凹部１１が形成されている。【選択図】図１
2019116294.tif 000002
【特許請求の範囲】
【請求項１】
少なくとも一つの開放された引き出し口を備えた外箱と、
前記外箱内に収容され、前記引き出し口からスライドして出し入れ可能な内箱と、を有し、
前記内箱は、合成樹脂製のインナー部材を含み、
前記インナー部材は、周囲を囲う壁部を有するとともに上面を開放した内包物が収容可能な空間を有したトレー部と、前記外箱内に収容されたときに前記トレー部の開放上面を覆う中蓋部とを少なくとも備え、
前記中蓋部は、前記トレー部の開放上面を覆う大きさで、その側縁には少なくとも一つの突出片を備えて軟質状に形成されるとともに、前記トレー部の内箱引き出し方向の後端縁において、折り曲げ部を介して前記トレー部と一体成形されており、
前記トレー部は、前記引き出し方向と直交する方向に位置する側壁部の上端面に、前記中蓋部がトレー部の開放上面を覆ったときに、前記突出片を収容可能な少なくとも一つの凹部が形成されていることを特徴とする包装用容器。
【請求項２】
前記折り曲げ部は、無負荷状態のとき、自己の弾性によって前記トレー部の開放上面から離間する方向に前記中蓋部を展開させ、
前記インナー部材の少なくとも一部が、前記折り曲げ部側から前記外箱内に収容されると、前記折り曲げ部の弾性に抗して前記中蓋部が前記トレー部の開放上面を覆うように配されることを特徴とする請求項1に記載の包装用容器。
【請求項３】
前記中蓋部は、引き出し方向で前側の先端に突出片が形成されており、
前記トレー部は、引き出し方向で前側の前壁部の上面には、前記突出片が収容可能な凹部が形成されていることを特徴とする請求項１又は２に記載の包装用容器。
【発明の詳細な説明】
【技術分野】
【０００１】
本発明は、外箱から内箱を引き出して内包物を取り出すことが可能な包装用容器に関する。
【背景技術】
【０００２】
この種の包装用容器としては、例えば、アーモンドチョコなどの粒状のチョコレート菓子（内包物）の包装容器が知られている。
例えば、この種のチョコレート菓子の包装用容器は、端面を開放した矩形状の外箱と、上面を開放した矩形状で、前記外箱内に収容され、かつ前記外箱の開放された端面からスライドして出し入れ可能な内箱と、前記内箱に一端側を固着するとともに、内箱に内包されるチョコレート菓子上を覆うようにして配されるグラシン紙からなるシート状の中蓋部と、で構成されている。
この中蓋部は、内包されているチョコレート菓子を外方から受ける衝撃から保護する目的と、チョコレート菓子から出る油分が外箱に滲むのを防ぐ目的と、から採用されている。
【０００３】
このようなシート状の中蓋を備えた包装用容器として特許文献１に開示されているような構造の包装用容器が提案されている。
特許文献１に開示の包装用容器によれば、グラシン紙からなる中蓋部の一部（先端）を外箱の開放端に固着し、内箱を引き出すことにより、中蓋部が自動的に捲れ上がるという構造を提供し、中蓋部の捲り上げ作業の煩わしさを解消しようというものである。
しかし、特許文献１のような先行技術にあっては、シート状の中蓋部の先端を外箱に固着する作業が必要で、このような作業は作業者が一つずつ手作業で行わなければならず、大変煩わしいばかりか、製造時間の多大なるロスを招く虞があると考えられることにより現実には市場に提供されてはいない。
従って、現在でもまだグラシン紙からなる中蓋部を備え、内箱を引き出した後、チョコレート菓子を食する際には中蓋部を捲り上げる必要があったが、この中蓋部がグラシン紙からなるやわらかいものであったため、特にチョコレート菓子が残り少なくなってくると、さらに捲り上げ難くなってくる。
【０００４】
ところで、この種のチョコレート菓子の製造工程ではオートメーション化が進み、製造ラインに順次流されてくる内箱内に、上方から所定数量のチョコレート菓子が充填され、そして、チョコレート菓子を充填した内箱は、さらに製造ラインを下流方向へと流れ、その後、外箱内に収容され、そしてその後、外箱全体を外装フィルムにて包装する。
このような製造工程において、製造ラインに順次流れる内箱は、チョコレート菓子の充填工程において、スムーズにチョコレート菓子の充填が行い得るように、グラシン紙からなる中蓋部を、内箱の後端側にて外方に向けて広げた（捲られた）状態にして製造ラインに流すようにしている。
そして、所定位置で所定量の粒状のチョコレート菓子が、内箱内に投入され、その後、下流側へと流されて、所定位置でチョコレート菓子上を覆うようにグラシン紙が被せられる。
【先行技術文献】
【特許文献】
【０００５】
【特許文献１】特開２０１３‐１８５２１号公報
【発明の概要】
【発明が解決しようとする課題】
【０００６】
しかし、このような先行技術の場合、中蓋部がグラシン紙からなる柔らかくて軽いものであったため、製造ラインをチョコレート菓子の充填位置に向かって流れている最中に、何らかの要因で内箱の上方に戻ってしまう（被ってしまう）ことが考えられる。このような状態を招いてしまうと、チョコレート菓子の充填工程において、中蓋部の上にチョコレート菓子が充填されてしまうことが考えられる。このような状態で製造ラインを下流方向へと流れてしまうと、中蓋部の上にチョコレート菓子が乗った状態のままで包装されてしまう虞もある。
また、中蓋部がグラシン紙からなる柔らかくて軽いものであったため、外箱内に内箱を収容する工程において、グラシン紙が引っ掛かって折れ曲がってしまうことも考えられ、その状態のまま包装されてしまう虞もある。
【０００７】
本発明は、この問題を解決するためになされており、その目的は、中蓋部の改良を図り、作業性の向上が図れ、かつ不良品発生の少ない新規構造を備えた包装用容器を提供することにある。
【課題を解決するための手段】
【０００８】
このような目的を達成するために、第１の発明は、少なくとも一つの開放された引き出し口を備えた外箱と、
前記外箱内に収容され、前記引き出し口からスライドして出し入れ可能な内箱と、を有し、
前記内箱は、合成樹脂製のインナー部材を含み、
前記インナー部材は、周囲を囲う壁部を有するとともに上面を開放した内包物が収容可能な空間を有したトレー部と、前記外箱内に収容されたときに前記トレー部の開放上面を覆う中蓋部とを少なくとも備え、
前記中蓋部は、前記トレー部の開放上面を覆う大きさで、その側縁には少なくとも一つの突出片を備えて軟質状に形成されるとともに、前記トレー部の内箱引き出し方向の後端縁において、折り曲げ部を介して前記トレー部と一体成形されており、
前記トレー部は、前記引き出し方向と直交する方向に位置する側壁部の上端面に、前記中蓋部がトレー部の開放上面を覆ったときに、前記突出片を収容可能な少なくとも一つの凹部が形成されていることを特徴とする包装用容器としたことである。
【０００９】
第２の本発明は、第１の本発明において、前記折り曲げ部は、無負荷状態のとき、自己の弾性によって前記トレー部の開放上面から離間する方向に前記中蓋部を展開させ、
前記インナー部材の少なくとも一部が、前記折り曲げ部側から前記外箱内に収容されると、前記折り曲げ部の弾性に抗して前記中蓋部が前記トレー部の開放上面を覆うように配されることを特徴とする包装用容器としたことである。
【００１０】
第３の本発明は、第１の本発明又は第２の本発明において、前記中蓋部は、引き出し方向で前側の先端に突出片が形成されており、
前記トレー部は、引き出し方向で前側の前壁部の上面に、前記突出片が収容可能な凹部が形成されていることを特徴とする包装用容器としたことである。
【発明の効果】
【００１１】
本発明によれば、中蓋部の改良を図り、作業性の向上が図れ、かつ不良品発生の少ない新規構造を備えた包装用容器を提供し得た。
【図面の簡単な説明】
【００１２】
【図１】本実施形態の包装用容器であって、インナー部材に内包物を収容し、内箱に収容した後、外箱内に収容される状態を示す概略断面図である。
【図２】本実施形態の包装用容器を構成するインナー部材の平面図で、中蓋部が開いている状態を示す。
【図３】図２のIII−III線断面図である
【図４】本実施形態の包装用容器を構成するインナー部材の平面図で、中蓋部が閉じている状態を示す。
【図５】図４のV−V線断面図である。
【図６】図４のVI−VI線断面図である。
【図７】図４のVII−VII線断面図である。
【図８】内包物を収容した本実施形態の包装容器の概略断面図であって、外箱内に内箱が収容された状態と、内箱を引き出して中蓋部を捲り上げている状態を示す。
【発明を実施するための形態】
【００１３】
以下、本発明の一実施形態に係る包装用容器について、添付図面を参照しつつ説明する。本実施形態では、アーモンドチョコなどの粒状のチョコレート菓子を内包物とする食品用の包装用容器を想定している。
なお、本実施形態は、本発明の一実施形態にすぎず、何等これに限定解釈されるものではなく、本発明の範囲内で設計変更可能である。
【００１４】
本実施形態の包装用容器１は、紙製の外箱３と、外箱３内に収容される内箱５と、で構成されている。
なお、図示しないが、チョコレート菓子（内包物）２９を内包（充填）した後、外箱３全体を外装フィルム（図示省略）にて包装する。
【００１５】
外箱３は、両側の端面を開放した平面視で矩形状の角筒形状に形成されている。
本実施形態では、左右の端面を開放し、一方の開放した端面を引き出し口３ａとしている。また、引き出し口３ａ側であることをわかり易くするため、外箱３における側面の引き出し口３ａ側の端部には、所定の切り欠き領域３ｂが設けられている（図１参照。）。
この切り欠き領域３ｂは、引き出し口３ａ側であることを示すだけではなく、切り欠き領域３ｂから内箱５の一部が露出する構造となっているため、内箱５を引き出す際に、切り欠き領域３ｂから露出している内箱５を持って引き出すことにより、引き出し操作（スライド操作）が容易となる。
少なくとも一つの開放された引き出し口を備えていればよいため、左右いずれか一方の端面は開放されず閉じている形態であってもよい。
外箱３は、本実施形態に限定解釈されるものではなく、本発明の範囲内で適宜設計変更可能である。
【００１６】
内箱５は、外箱３内に収容されるとともに、引き出し口３ａからスライドして出し入れ可能な構成を有しており、例えば、本実施形態では、紙製の内箱本体６と、内箱本体６内に収容される合成樹脂製のインナー部材７とを含んで構成されている。
内箱本体６は、上面を開放した平面視矩形状で、インナー部材７を内装可能な高さ（深さ）を有する凹状の収容空間を有して形成されている。
内箱本体６の長さＬ１は外箱３の長さＬ２と略同一に設定されるとともに、幅と高さＨ１は、それぞれ外箱３の内面に摺接するように設定されている。
なお、各図中、Ｓ１は内箱５（若しくはトレー部９）の引き出し方向（スライド方向）を示し、Ｘ１は内箱５の引き出し方向と直交する方向を示す。
【００１７】
インナー部材７は、合成樹脂製のトレー部９と、合成樹脂製の中蓋部１９とで構成されている。
【００１８】
トレー部９は、前壁部９ａ、後壁部９ｂ、左側壁部９ｃ、右側壁部９ｄによって周囲が囲まれるとともに、上面を開放し、チョコレート菓子（内包物）２９を収容可能な凹状の内包部（空間）９ｅを有した平面視矩形状に形成されている。
また、本実施形態では、トレー部９の内包部９ｅの内底面に、凹凸部９ｆ形成している。
この凹凸部９ｆは、内包されるチョコレート菓子２９を衝撃から保護するためのクッションとしての役割を有するとともに、チョコレート菓子２９の接触面積を減らし、チョコレート菓子２９が内底面にくっついてしまうことを防止する役割を有している。本実施形態では、内箱５の引き出し方向Ｓ１と直交する方向Ｘ１、すなわち、トレー部９の側壁部(側面）９ｃ，９ｄ間にわたって架け渡されるようにして形成される凹条部９ｇと凸条部９ｈが交互に並設されている。凹凸部９ｆは、本実施形態のように、凹条部９ｇと凸条部９ｈが交互に並設されている形態ではなく、例えば、半球状に窪む凹部と、半球状に突出する凸部とが多数形成されてなる形態などであってもよく、本発明の範囲内で設計変更可能である。
トレー部９の長さＬ３は、内箱本体６の長さＬ１よりも短く設定され、幅は内箱本体６の幅よりも狭く設定され、高さＨ３は内箱本体６の高さＨ１と略同一若しくは僅かに低く設定され、内箱５内に内装される。
【００１９】
トレー部９の側壁部（側面）９ｃ，９ｄの上端面９ｃ´と９ｄ´には、内箱５の引き出し方向Ｓ１に所定範囲で連続した所定長さ・所定深さの第一の凹部（凹溝部）１１，１１が形成されている。
第一の凹部（凹溝部）１１，１１は、中蓋部がトレー部９の開放上面を覆ったときに、後述する中蓋部１９に備えた第一の突出片２３，２３を収容可能に形成されている。
【００２０】
第一の凹部１１は、側壁部（側面）９ｃ，９ｄの上端面９ｃ´と９ｄ´に形成された第一の凸条部１３と第二の凸条部１５との間に形成されている。なお、本実施形態における第二の凸条部１５は、側壁部９ｃ，９ｄの上端面９ｃ´と９ｄ´と前壁部９ａの上端面９ａ´とにわたって平面視略Ｌ字形状に連続して形成されている。
【００２１】
前壁部９ａの上端面９ａ´に位置する第二の凸条部１５のそれぞれの端部間には、所定長さ・所定深さの第二の凹部（凹溝部）１７が形成されている。
第二の凹部（凹溝部）１７は、中蓋部１９がトレー部９の開放上面を覆ったときに、後述する中蓋部１９に備えた第二の突出片２５を収容可能に形成されている。
【００２２】
第一の凸条部１３と第二の凸条部１５のそれぞれの端部は、面取りをして第一の凹部１１や第二の凹部１７に向けて下り傾斜状のテーパ面に形成されている。
【００２３】
中蓋部１９は、トレー部９の開放上面を覆う大きさの薄板状に形成された本体２１と、本体２１の左右の側縁２１ａ，２１ａに形成された第一の突出片（突出片）２３，２３と、本体２１の前縁２１ｂに形成された第二の突出片（突出片）２５と、を含み、トレー部９の後壁部９ｂの端縁において、折り曲げ部２７を介してトレー部９と一体成形されている。
【００２４】
本体２１は、トレー部９の開放上面を覆ったときに、トレー部９の内包部（空間）９ｅ内に収まる程度の大きさに形成されている。本実施形態では、前壁部９ａと左右の側壁部９ｃ，９ｄとの間で隙間が形成される大きさに形成されている（図４及び図７参照。）。
内面側には、多数の凸部２１ｃが形成されている。凸部２１ｃは、本体２１の左右の側縁２１ａ，２１ａ間にわたる長さを有した断面視で半円状に突出する長尺の凸条で、本体２１の長さ方向で一定間隔をあけて多数並設されている。また、本実施形態では、凸部２１ｃの反対側、すなわち、本体２１の外面側には凸部形成時に形成される凹部２１ｄが備えられている。
【００２５】
第一の突出片２３は、中蓋部１９がトレー部９の開放上面を覆ったときに、トレー部９に備えた第一の凹部１１に収容可能に、本体２１の側縁２１ａから所定幅をもって水平方向に突設されている。本実施形態では、側縁２１ａの両側に所定領域を残して側縁２１ａからそれぞれテーパ面２３ａをもって水平方向に突出して台形板状に形成されている。
第二の突出片２５は、前縁２１ｂの両側に所定領域を残して前縁２１ｂからそれぞれテーパ面２５ａをもって水平方向に突出して台形板状に形成されている。
この第一の突出片２３と第二の突出片２５の領域内には、本体２１の内面側に形成されている凸部２１ｃは形成されていない。
【００２６】
折り曲げ部２７は、トレー部９の後壁部９ｂの端縁と中蓋部１９との間にわたって断面視で略半円の長溝状に一体成形され、弾性に抗して中蓋部１９をトレー部９の上方を覆うように閉じたときに、断面視で楕円形の長溝を奏する（図５参照。）。
従って、折り曲げ部２７は、無負荷状態のとき、自己の弾性によってトレー部９の開放上面から離間する方向、すなわち外方に向けて中蓋部１９を展開させるように機能する（図３参照。）。折り曲げ部２７の形状は本実施形態に限定解釈されるものではなく、本発明の範囲内で適宜設計変更可能である。
【００２７】
本実施形態の包装用容器１によれば、次のような作用効果が発揮される。
【００２８】
本実施形態の包装用容器１にチョコレート菓子２９を充填して外装フィルムにて包装するまでの製造工程について説明すると、まず、製造ラインにインナー部材７が順次流されてくる。このとき、インナー部材７の中蓋部１９は、折り曲げ部２７の弾性により、トレー部９の開放上面から離間する方向、すなわち外方に向けて中蓋部１９を展開するようにしてライン上に順次流されていく。
そして、所定位置に到達すると、インナー部材７のトレー部９の内包部９ｅ内に、上方から所定数量のチョコレート菓子２９が充填される。このとき、中蓋部１９は、折り曲げ部２７の弾性により常にトレー部９の開放上面から離間して外方に向けて展開されているため、チョコレート菓子２９が充填される際に邪魔になることもない。
そして、チョコレート菓子２９を充填したインナー部材７は、さらに製造ラインを下流方向へと流れ、内箱本体６内にトレー部９が収容される。
その後、さらに製造ラインを下流方向へと流れ、外箱３内に収容されていく。このとき、折り曲げ部２７側から外箱３内に収容されていくと、折り曲げ部２７の弾性に抗して中蓋部１９がチョコレート菓子２９上を覆うようにして被せられる。そしてその後、外箱３全体を外装フィルムにて包装する。
また、製造ラインにて外箱３内に内箱５を収容する際に、中蓋部１９の側縁２１ａ，２１ａに突出した左右の第一の突出片２３，２３が、それぞれトレー部９の側壁部９ｃ，９ｄの上端面９ｃ´，９ｄ´にある第一の凹部１１，１１に案内されて収容されるため、外箱３への内箱５の収容時に中蓋部１９がずれてしまうということもない。
なお、上述した製造ラインの説明は一実施形態であって、例えば、チョコレート菓子２９を充填する工程よりも以前に、内箱本体６内にインナー部材７が収容されている形態であってもよく本発明の範囲内で設計変更可能である。
【００２９】
また、内包されているチョコレート菓子を食する際には、内箱５を外箱３から引き出し、中蓋部１９の第二の突出片２５を持って先端側から捲り上げればよく、第二の突出片２５がトレー部９の第二の凹部１５に収容されているため、第二の突出片２５が摘み易く大変扱い易い。
【００３０】
本実施形態では、紙製の内箱本体６と、内箱本体６内に収容される合成樹脂製のインナー部材７と、で内箱５を構成しているが、紙製の内箱本体６を省略して合成樹脂製のインナー部材７のみで内箱５を構成することも可能で本発明の範囲内である。
【産業上の利用可能性】
【００３１】
本発明は、チョコレート菓子以外の食品用の包装容器にも利用可能であり、さらには食品以外の包装用容器にも利用可能である。
【符号の説明】
【００３２】
１  包装用容器
３  外箱
３ａ  引き出し口
５  内箱
７  インナー部材
９  トレー部
１３  凹部（第一の凹部）
１５  凹部（第二の凹部）
１９  中蓋部
２３  突出片（第一の突出片）
２５  突出片（第二の突出片）
２７  折り曲げ部
【図１】
2019116294.tif 000003
【図２】
2019116294.tif 000004
【図３】
2019116294.tif 000005
【図４】
2019116294.tif 000006
【図５】
2019116294.tif 000007
【図６】
2019116294.tif 000008
【図７】
2019116294.tif 000009
【図８】
2019116294.tif 000010